(57)【要約】【課題】直腸の痔、直腸癌或いは前立腺肥大の触診が可能な、模擬度の高い直腸触診訓練用モデルを提供する。【解決手段】人体の臀部を模擬し、臀部の肛門に当たる部分から内部に向けて孔部１２が設けられたウレタンゲル材製の模擬臀部１０に人体の直腸を模擬したスチレン系エラストマー樹脂製の模擬直腸部２０に挿入する。また、模擬直腸部２０の内壁面には、模擬直腸部２０より硬い樹脂製の模擬病巣部を設ける。さらに、模擬直腸部２０の先端に、略円筒形状に形成されたシリコン樹脂製の挿入部４２及び挿入部４２の一端に設けられ、挿入部４２の外径より大きな外径の略円盤状の中央部分に、挿入部４２の中空部分に貫通する孔が設けられた外装部４４を有する模擬肛門部４０を、模擬臀部１０の肛門に当たる部分に密着して装着するようにした直腸触診訓練用モデル１。【選択図】図１
2014095870.tif 000002
【特許請求の範囲】
【請求項１】
人体の臀部を模擬し、該臀部の肛門に当たる部分から内部に向けて孔部が設けられた樹脂製の模擬臀部と、
人体の直腸を模擬し、前記模擬臀部の孔部に挿入される樹脂製の模擬直腸部と、
前記模擬直腸部の内壁面に設けられ、直腸癌又は痔の病巣を模擬する、前記模擬直腸部より硬い樹脂製の模擬病巣部と、
略円筒形状に形成され、前記模擬直腸部に挿入される樹脂製の挿入部及び前記挿入部の一端に設けられ、前記挿入部の外径より大きな外径の略円盤状の中央部分に、前記挿入部の中空部分に貫通する孔が設けられた、前記模擬臀部の肛門に当たる部分に密着して装着される樹脂製の外装部を有する模擬肛門部と、
を備えたことを特徴とする直腸触診訓練用モデル。
【請求項２】
請求項１に記載の直腸触診訓練用モデルにおいて、
前記模擬臀部の内部に、前記模擬直腸部の外側に接し、かつ、人体の前面側に、略直方体で前記模擬直腸部側の面が前記模擬直腸部の長手方向に凹部を有する、前記模擬直腸部よりも硬い樹脂製の模擬前立腺部を備えていることを特徴とする直腸触診訓練用モデル。
【請求項３】
請求項１又は請求項２に記載の直腸触診訓練用モデルにおいて、
前記模擬臀部を形成する樹脂は、ウレタンゲル材であることを特徴とする直腸触診訓練用モデル。
【請求項４】
請求項１〜請求項３のいずれか１項に記載の直腸触診訓練用モデルにおいて、
前記模擬肛門部を形成する樹脂は、シリコン樹脂であることを特徴とする直腸触診訓練用モデル。
【請求項５】
請求項１〜請求項４のいずれか１項に記載の直腸触診訓練用モデルにおいて、
前記模擬直腸部を形成する樹脂は、スチレン系エラストマー樹脂であることを特徴とする直腸触診訓練用モデル。
【発明の詳細な説明】
【技術分野】
【０００１】
本発明は、直腸癌、直腸に発生する痔、或いは前立腺肥大の触診訓練に用いる人体モデルに関する。
【背景技術】
【０００２】
従来、前立腺触診練習用人体模型として、人体の下腹部、腰部及び臀部を模擬した本体内に空所を設け、臀部の中央部に肛門を模した孔とこの孔に連続する直腸を模した管状部とからなる肛門直腸模擬体を嵌設し、管状部を本体内の空所の底面に延長配置し、空所内に前立腺模擬体交換配置機構を設置し、この前立腺模擬体交換配置機構を種々の生理的及び病理状態の前立腺を模擬した複数個の模擬体を取り付けた回転板と、その回転板を本体外部から回転させ、前立腺模擬体を択一的に肛門直腸模擬体の管状部外面に接触配置する機構によって構成した前立腺触診練習用人体模型があった（例えば、特許文献１参照）。
【先行技術文献】
【特許文献】
【０００３】
【特許文献１】実開昭６３−６０１８１号公報
【発明の概要】
【発明が解決しようとする課題】
【０００４】
ところが、上記前立腺触診練習用人体模型は、前立腺模擬体交換配置機構等を本体内部の空所に配置しているため、触診練習の際、直腸に挿入した指に加わる圧力が実際と異なり、触診訓練の模擬度が劣るという問題がある。
【０００５】
また、前立腺の触診練習専用の構造であるため、直腸癌や直腸に生じる痔などの触診練習ができないという問題もある。
本発明は、こうした問題に鑑みなされたもので、直腸癌、直腸の痔或いは前立腺肥大の触診が可能な、模擬度の高い直腸触診訓練用モデルを提供することを目的とする。
【課題を解決するための手段】
【０００６】
この欄においては、発明に対する理解を容易にするため、必要に応じて「発明を実施するための形態」欄において用いた符号を付すが、この符号によって請求の範囲を限定することを意味するものではない。
【０００７】
上記「発明が解決しようとする課題」において述べた問題を解決するためになされた発明は、模擬臀部（１０）、模擬直腸部（２０）、模擬病巣部（３０）及び模擬肛門部（４０）とを備えた直腸触診訓練用モデル（１）である。
【０００８】
模擬臀部（１０）は、人体の臀部を模擬し、臀部の肛門に当たる部分から内部に向けて孔部（１２）が設けられた樹脂製のものであり、模擬直腸部（２０）は、人体の直腸を模擬し、模擬臀部（１０）の孔部（１２）に挿入される樹脂製のものである。
【０００９】
模擬病巣部（３０）は、模擬直腸部（２０）の内壁面に設けられ、直腸癌又は痔の病巣を模擬する、模擬直腸部（２０）より硬い樹脂製のものであり、模擬肛門部（４０）は、略円筒形状に形成され、模擬直腸部（２０）に挿入される樹脂製の挿入部（４２）及び挿入部（４２）の一端に設けられ、挿入部（４２）の外径より大きな外径の略円盤状の中央部分に、挿入部（４２）の中空部分に貫通する孔が設けられた、模擬臀部（１０）の肛門に当たる部分に密着して装着される樹脂製の外装部（４４）を有するものである。
【００１０】
このような直腸触診訓練用モデル（１）は、樹脂製の模擬臀部（１０）の肛門から内部に孔部（１２）が設けられており、その孔部（１２）に模擬病巣部（３０）を有する模擬直腸部（２０）が挿入される。したがって、模擬直腸部（２０）を孔部（１２）に挿入する場合、模擬病巣部（３０）の位置を孔部（１２）の任意の位置に配置することができる。
【００１１】
つまり、模擬病巣部（３０）を肛門から浅い位置にしたい場合には、模擬病巣部（３０）を模擬直腸部（２０）の肛門側の開口部近傍に配置し、肛門から深い位置にしたい場合には、模擬病巣部（３０）を肛門側の開口部から離れた位置に配置すればよい。
【００１２】
さらに、模擬直腸部（２０）を孔部（１２）に挿入する際に、模擬直腸部（２０）を直腸の長手方向の軸に対して回転させることによって、模擬病巣部（３０）の位置を肛門の円周方向の任意の位置に設定することができる。
【００１３】
したがって、模擬病巣部（３０）の硬さや形状を直腸癌や痔に近似させることにより、直腸癌や痔の触診が可能となる。
さらに、模擬臀部（１０）は樹脂製であるため、その硬さを人体に近いものにすることにより、孔部（１２）に指を挿入した場合に、指周りから圧力が加わることになり、指に、実際の触診時と同じような圧迫感を与えることができるので、触診訓練の模擬度が向上する。
【００１４】
また、請求項２に記載のように、模擬臀部（１０）の内部に、模擬直腸部（２０）の外側に接し、かつ、人体の前面側に、略直方体で模擬直腸部（２０）側の面が模擬直腸部（２０）の長手方向に凹部を有する、模擬直腸部（２０）よりも硬い樹脂製の模擬前立腺部（５０）を備えるようにすると、前立腺の触診も可能となる。
【００１５】
したがって、模擬前立腺部（５０）の硬さや大きさを前立腺が肥大した状態に近似させると、前立腺肥大の触診訓練も可能となる。
ところで、模擬臀部（１０）を形成する樹脂には、種々のものが考えられるが、請求項３に記載のように、ウレタンゲル材とすると、硬さや触感あるいは、内部の孔部（１２）に指を挿入したときに指に加わる圧迫感が実際に近いものとなるので、触診訓練の模擬度を向上させることができる。
【００１６】
また、請求項４に記載のように、模擬肛門部（４０）を形成する樹脂をシリコン樹脂とすると、触診訓練で指を模擬直腸部（２０）に挿入したとき、シリコン樹脂の弾性により、実際の肛門と同じような圧力が指に加わるので、触診訓練の模擬度を向上させることができる。
【００１７】
さらに、請求項５に記載のように、模擬直腸部（２０）を形成する樹脂を、スチレン系エラストマー樹脂とすると、触診訓練で指を挿入すると、実際の直腸の内壁面に非常に近い硬さや触感が得られるので、触診訓練の模擬度を向上させることができる。
【図面の簡単な説明】
【００１８】
【図１】直腸触診訓練用モデルの概略の構成を示す図である。
【図２】模擬直腸部の断面図である。
【図３】模擬肛門部の概略の構造を示す図である。
【発明を実施するための形態】
【００１９】
以下、本発明が適用された実施形態について図面を用いて説明する。なお、本発明の実施の形態は、下記の実施形態に何ら限定されることはなく、本発明の技術的範囲に属する限り種々の形態を採りうる。
【００２０】
図１は、本発明が適用された直腸触診訓練用モデル１の概略の構成を示す図である。
図１に示すように、直腸触診訓練用モデル１は、模擬臀部１０、模擬直腸部２０、模擬病巣部３０、模擬肛門部４０及び模擬前立腺部５０を備えている。
【００２１】
模擬臀部１０は、人体の臀部を模擬したものであり、肌色に着色したウレタンゲル材を臀部形状に成形したものである。そして、臀部の肛門に当たる部分から内部に向けて直径約２０［ｍｍ］の孔部１２が設けられている。
【００２２】
模擬臀部１０内における孔部１２の経路は、実際の人体に肛門に当たる部分から模擬臀部２０内部に向けて直腸と同じ経路となっている。
模擬直腸部２０は、人体の直腸を模擬したものであり、スチレン系エラストマー樹脂で形成したものであり、模擬臀部１０の孔部１２に挿入されて使用される。この模擬直腸部２０は、スチレン系エラストマー樹脂を、実際の直腸の内壁面のように、蛇腹状の円筒形状に形成したものである。
【００２３】
また、模擬直腸部２０の内壁面には、図１に示すように、模擬病巣部３０が取り付けられている。この模擬病巣部３０は、直腸癌又は痔の病巣を模擬するものであり、模擬直腸部２０より硬い樹脂（例えば、ゴム）を略球形に整形し、図２（ａ）に示すように、接着剤で模擬直腸部２０の内壁面に接着してある。
【００２４】
模擬肛門部４０は、図３に示すように、挿入部４２及び外装部４４を備えている。挿入部４２は、模擬直腸部２０の端部に挿入できるように、シリコン樹脂を略円筒形に形成したものである。
【００２５】
また、挿入部４２の一端（挿入される端部と反対側の端部）には、外装部４４が設けられている。この外装部４４は、シリコン樹脂を略円盤状に形成したものであり、その外径は、挿入部４２の外径よりも大きく、中央部分に、挿入部４２の中空部分に貫通する孔が設けられている。
【００２６】
模擬前立腺部５０は、図１に示すように、模擬臀部１０の内部に設けられており、模擬直腸部２０よりも硬い樹脂（例えばゴム）を略直方体状に成形したものである。この模擬前立腺部５０は、模擬臀部１０の前面側（肛門の位置と反対側）で、模擬直腸部２０の外側に接するように配置されている。
【００２７】
また、模擬直腸部２０と接する面が、模擬直腸部２０の長手方向に凹部を有するように整形されている。
（直腸触診訓練用モデル１の特徴）
以上のような直腸触診訓練用モデル１では、ウレタンゲル製の模擬臀部１０の肛門から内部に設けられた孔部１２に、模擬病巣部３０を有する模擬直腸部２０が挿入される。
【００２８】
したがって、模擬病巣部３０を肛門から浅い位置にしたい場合には、模擬病巣部３０を模擬直腸部２０の肛門側の開口部近傍に配置し、肛門から深い位置にしたい場合には、模擬病巣部３０を肛門側の開口部から離れた位置に配置することによって、模擬病巣部３０を深さ方向の任意に位置に配置することができる。
【００２９】
また、模擬直腸部２０を孔部１２に挿入する際に、模擬直腸部２０を直腸の長手方向の軸に対して回転させることによって、模擬病巣部３０の位置を肛門の円周方向の任意の位置に設定することができる。したがって、模擬病巣部３０の硬さや形状を直腸癌や痔に近似させることにより、直腸癌や痔の触診が可能となる。
【００３０】
さらに、模擬臀部１０がウレタンゲル材で形成されているので、硬さや触感あるいは、内部の孔部１２に指を挿入したときに指に加わる圧迫感が実際に近いものとなる。したがって、触診訓練の模擬度を向上させることができる。
【００３１】
また、模擬肛門部４０をシリコン樹脂で形成しているので、触診訓練で指を模擬直腸部２０に挿入すると、シリコン樹脂の弾性により、実際の肛門と同じような圧力が指に加わるので、触診訓練の模擬度を向上させることができる。
【００３２】
さらに、模擬直腸部２０をスチレン系エラストマー樹脂で形成しているので、触診訓練で指を挿入すると、実際の直腸の内壁面に非常に近い硬さや触感が得られる、したがって、触診訓練の模擬度を向上させることができる。
【００３３】
また、模擬前立腺部５０を備えているので、模擬前立腺部５０の硬さや大きさを前立腺が肥大した状態に近似させると、前立腺肥大の触診訓練も可能となる。
（その他の実施形態）
以上、本発明の実施形態について説明したが、本発明は、本実施形態に限定されるものではなく、種々の態様を採ることができる。
【００３４】
例えば、上記実施形態では、模擬直腸部２０を蛇腹状の円筒形状としたが、図２（ｂ）に示すように、蛇腹状の円筒形状の内層２１と円筒形状の外層２２の二層構造としてもよい。さらに、内層と外装の間に中間層を設けて三層構造としてもよい。
【符号の説明】
【００３５】
１… 直腸触診訓練用モデル  １０… 模擬臀部  １２… 孔部  ２０… 模擬直腸部  ２１… 内層  ２２… 外層  ３０… 模擬病巣部  ４０… 模擬肛門部  ４２… 挿入部  ４４… 外装部  ５０… 模擬前立腺部。
【図１】
2014095870.tif 000003
【図２】
2014095870.tif 000004
【図３】
2014095870.tif 000005